(57)【要約】本発明は、自動車用の電話通信装置に関する。この自動車用の電話通信装置は、移動電話端末の受け台（２）と、電話通信装置の中へユーザのコマンドを取り込むために、ステアリングホイールの下に設けられた付加装置（４）と、画像と音響との少なくとも一方による電話通信状態の表示装置（７）とを含む。この電話通信装置は、受け台（２）、付加装置（４）及び表示装置（７）と、電気的接続と情報処理的接続との少なくとも一方によって接続されたコンピュータ（１）を更に含み、コンピュータ（１）は、移動通信網との電話通信回路（３６、３２）と、電話交信の実行に不適当な運転状況の際に、電話通信回路へ保留メッセージを供給する保留回路（２２、２４、２６）を含む。
2008504770.tif 000002
【特許請求の範囲】
【請求項１】
−移動電話端末の受け台（２）と、
−電話通信装置の中へユーザのコマンドを取り込むために、ステアリングホイールの下に設けられた付加装置（４）と、
−画像と音響との少なくとも一方による電話通信状態の表示装置（７）と、
を含む自動車用の電話通信装置において、上記電話通信装置は、上記受け台（２）、上記付加装置（４）及び上記表示装置（７）と、電気的接続と情報処理的接続との少なくとも一方によって接続されたコンピュータ（１）を更に含み、上記コンピュータ（１）は：
−移動通信網との電話通信回路（３２）と、
−電話交信の実行に不適当な運転状況の際に、上記電話通信回路へ、保留メッセージを供給する保留回路（２６）と、
を含むことを特徴とする、自動車用の電話通信装置。
【請求項２】
到来する呼び出しの検出によって、上記保留メッセージを発生する上記保留回路の起動手段（３６）を含むことを特徴とする、請求項１に記載の自動車用の電話通信装置。
【請求項３】
上記保留メッセージを発生する上記保留回路（２６）の上記起動手段（３６）は、ダッシュボードまたはその他の運転装置上で検出された、上記不適当な運転状況を運転者が合図するための上記コマンドを取り込む手段を含むことを特徴とする、請求項２に記載の自動車用の電話通信装置。
【請求項４】
検出された上記コマンドを取り込む手段は、上記電話通信装置に対する上記コマンドを取り込む上記付加装置（４）を含むことを特徴とする、請求項３に記載の自動車用の電話通信装置。
【請求項５】
検出された上記コマンドを取り込む手段は、電話通信の保留メッセージメモリ（２２）のアドレスを指定する手段を含み、上記保留メッセージメモリ（２２）の上記アドレスを指定する手段は、電話通信の上記保留回路（２６）及び電話通信送信回路（２８）と協働することを特徴とする、請求項３または４に記載の自動車用の電話通信装置。
【請求項６】
電話通信の上記保留回路（２６）は、ストレス状態検出テストと到来呼び出し検出テストを実行するための手段（４２、４４）と協働し、ストレス状態検出と到来呼び出し検出が同時に発生したときには、保留メッセージ発生ステップ（４８）が実行されることを特徴とする、請求項５に記載の自動車用の電話通信装置。
【請求項７】
電話通信の上記保留回路（２６）は、電話通信が確立されている間は、正しい上記保留メッセージが上記電話通信送信回路（２８）上で放送されるように、ストレス状態検出手段（６２）、及び上記保留メッセージメモリ（２２）の読み取りの活性化信号の発生手段と協働することを特徴とする、請求項５に記載の自動車用の電話通信装置。
【請求項８】
電話通信の上記コンピュータ（１）は、上記コンピュータ（１）に連結された上記表示装置（７）上における、メッセージと、アイコンと、データのリストとの少なくとも１つの表示の発生手段も含むことを特徴とする、請求項１〜７のいずれか１つに記載の自動車用の電話通信装置。
【請求項９】
−通話者の身分と電話番号の少なくとも一方、
−放送された保留メッセージまたはその表示、
−保留メッセージの送信開始日時、
の少なくとも１つを特に含む上記データの上記リストの発生手段を含むことを特徴とする、請求項８に記載の自動車用の電話通信装置。
【請求項１０】
ストレス状態検出手段が、運転席、特にステアリングホイールに関連して設けられた、電話通信装置の中へ上記コマンドを取り込む上記付加装置（４）に設けられたスイッチを含み、上記スイッチは、レバー、上下動ボタンまたはタッチキー、あるいはタッチスクリーン上に接触領域を表示するアイコンを含むその他のあらゆる装置の少なくとも１つの手段を含むことを特徴とする、請求項１〜９のいずれか１つに記載の自動車用の電話通信装置。
【請求項１１】
活性状態にあるストレス状態検出装置を伴って設けられ、その結果、運転者は、到来呼び出しの検出によって電話通信が開始されるため、または電話通信が展開されるためには、ストレス状態検出スイッチを無効化状態にする必要があることを特徴とする、請求項１０に記載の自動車用の電話通信装置。
【発明の詳細な説明】
【技術分野】
【０００１】
本発明は自動車用の電話通信装置に関する。
【背景技術】
【０００２】
従来技術において、移動電話は既に自動車の中に組み込まれている。到来する呼び出しがあったときには、運転者に呼び出しの到来を知らせるために、自動車の中でベルがなる。危険な運転状況にある場合には、運転者は呼び出しのベルの音を最初に不快なものとして受ける。次に、運転者は受話器を可動状態にして応答するか、または、応答しないときには、運転者はその電話通信を聞く機会を失う。いずれの状況においても、運転者は、一方では運転の安全に対して、他方では電話通信の質に対して有害なストレスを受ける。
【０００３】
特許文献ＪＰ−Ａ−１１３０８６４においては、接続すなわち回線使用のコマンドのための運転状況を表すデータの検出に基づいて、移動電話の接続をコマンドするための、自動車の運転状況の検出の問題が既に提起されている。この従来技術においては、移動電話は接続部を介して自動車の接続ボックスへ接続され、自動車が無線送信または受信信号を受けたことを信号が表示する。自動車の速度を表す信号が、区分部へ送られる。区分部は、自動車の速度に基づいて運転者の運転状況を推定し、処理操作において、通信信号が伝達されるべきか否かを決定する。その結果、特に、速度信号が所定の閾値を超えるときには、到来呼び出しのベルは発せられない。
【０００４】
国際出願ＷＯ  ９９／２６３９３においては、後に放送するために会話の一部を記録することを可能にする装置をあらかじめ設けて、自動車の中で移動電話を使用することが提案されている。その結果、望ましくない運転状況の際には、到来する会話はメモリ要素の中へ蓄積され、望ましくない運転状況が終了したときに、後で再送信されることが可能である。
【０００５】
日本特許出願ＪＰ−Ａ−２００２７００５１においては、呼び出し待ち時間の間の運転者の運転負荷に応じて到来する呼び出しを承諾する車上受信機を使用することによって、呼び出し受信の際の運転の安全性を考慮に入れることを可能にすることが提案されている。運転者の運転負荷が低いとみなされるときには、到来する呼び出しは、音響信号によって運転者に知らされる。運転者の運転負荷が高いとみなされるときには、到来する呼び出しは消去される。
【０００６】
しかしながら、二人の通話者の間で電話通信が確立されているときに、運転者の完全な注意を必要とする運転状況が発生したときには、上記の様々な解決策は適用することができない。電話通信が確立されていないときに、このような運転状況が発生したら、運転者は到来する通信を受けないことが可能であるが、この通信に関する呼び出しがあったことを警告されることはない。
【特許文献１】ＪＰ−Ａ−１１３０８６４
【特許文献２】ＷＯ  ９９／２６３９３
【特許文献３】ＪＰ−Ａ−２００２７００５１
【発明の開示】
【発明が解決しようとする課題】
【０００７】
本発明は、上記従来技術における欠点を解消することを目的とする。
【課題を解決するための手段】
【０００８】
上記目的を達成するため、本発明は、
−移動電話端末の受け台と、
−電話通信装置の中へのユーザのコマンドを受けるために、ステアリングホイールの下に設けられた付加装置と、
−画像と音響との少なくとも一方による電話通信状態の表示装置と、
を含む自動車用の電話通信装置に関する。
【０００９】
本発明は、特に、上記電話通信装置が、上記受け台、上記付加装置及び上記表示装置と、電気的接続と情報処理的接続との少なくとも一方によって接続されたコンピュータを更に含み、上記コンピュータは：
−移動通信網との電話通信回路と、
−電話交信の実行に不適当な運転状況の際に、上記電話通信回路へ、保留メッセージを供給する保留回路と、
を含むことを特徴とする。
【００１０】
本発明の１局面によれば、上記電話通信装置は、到来する呼び出しの検出によって、上記保留メッセージを発生する上記保留回路の起動手段を含む。
【００１１】
本発明の他の１局面によれば、上記保留メッセージを発生する上記保留回路の上記起動手段は、ダッシュボードまたはその他の運転装置上で検出された、上記不適当な運転状況を運転者が合図するための上記コマンドを取り込む手段を含む。
【００１２】
本発明の他の１局面によれば、検出された上記コマンドを取り込む手段は、上記電話通信装置に対する上記コマンドを受ける上記付加装置を含む。
【００１３】
本発明の他の１局面によれば、検出された上記コマンドを取り込む手段は、電話通信の保留メッセージメモリのアドレスを指定する手段を含み、上記保留メッセージメモリの上記アドレスを指定する手段は、電話通信の上記保留回路及び電話通信送信回路と協働する。
【００１４】
本発明の他の１局面によれば、電話通信の上記保留回路は、ストレス状態検出テストと到来呼び出し検出テストを実行するための手段と協働し、ストレス状態検出と到来呼び出し検出が同時に発生したときには、保留メッセージ発生ステップが実行される。
【００１５】
本発明の他の１局面によれば、電話通信の上記保留回路は、電話通信が確立されている間は、正しい上記保留メッセージが上記電話通信送信回路上で放送されるように、ストレス状態検出手段、及び上記保留メッセージメモリの読み取りの活性化信号の発生手段と協働する。
【００１６】
本発明の他の１局面によれば、電話通信の上記コンピュータは、上記コンピュータに連結された上記表示装置上における、メッセージと、アイコンと、データのリストとの少なくとも１つの表示の発生手段も含む。
【００１７】
本発明の他の１局面によれば、上記電話通信装置は：
−通話者の身分と電話番号の少なくとも一方、
−放送された保留メッセージまたはその表示、
−保留メッセージの送信開始日時、
の少なくとも１つを特に含む上記データの上記リストの発生手段を含む。
【００１８】
本発明の他の１局面によれば、ストレス状態検出手段は、運転席、特にステアリングホイールに関連して設けられた、電話通信装置の中へ上記コマンドを取り込む上記付加装置に設けられたスイッチを含み、上記スイッチは、レバー、上下動ボタンまたはタッチキー、あるいはタッチスクリーン上に接触領域を表示するアイコンを含むその他のあらゆる装置の少なくとも１つの手段を含む。
【００１９】
本発明の他の１局面によれば、上記電話通信装置は、活性状態にあるストレス状態検出装置を伴って設けられ、その結果、運転者は、到来呼び出しの検出によって電話通信が開始されるため、または電話通信が展開されるためには、ストレス状態検出スイッチを無効化状態にする必要がある。
【発明を実施するための最良の形態】
【００２０】
本発明のその他の特徴及び利点は、以下の説明と図面によってより明らかとなるであろう。これらの図面において：
−図１は、本発明を実施する電話通信装置のブロック図であり；
−図２は、図１の電話通信装置が第１の状況にある場合の流れ図であり；
−図３は、図１の電話通信装置が第２の状況にある場合の流れ図である。
【００２１】
図１は、本発明による電話通信装置のブロック図を示す。本発明の電話通信装置は、個人用の自動車に搭載される電話通信装置を製造するために既に使用されている構成要素を基本的に使用する。本発明の実施の形態においては、電話通信装置は運転席に取り付けられ、主として以下の構成要素：
−コンピュータ１；
−ＧＳＭ（移動電話）端末の受け台２；
（翻訳者注：ＧＳＭは、ＧＬＯＢＡＬ  ＳＹＳＴＥＭ  ＦＯＲ  ＭＯＢＩＬＥ  ＴＥＬＥＣＯＭＭＵＮＩＣＡＴＩＯＮＳ  ＳＹＳＴＥＭの略語で、ヨーロッパ全域で使用可能なデジタル携帯電話システムのことである。）
−ＧＳＭ型電話通信装置に対するユーザのコマンドを取り込む付加装置４；
−拡声器５による音響放送装置；
−マイクロフォン６による通話検出装置；
−メッセージ及び図形の表示装置７；
−ＧＳＭ端末の受け台２の中へ接続されたＧＳＭ電話端末３；
を含む。
【００２２】
ＧＳＭ端末の受け台２は、ＧＳＭ電話端末３の機械的な保持手段を有する。ＧＳＭ電話端末３は、運転者が運転席にいないとき、または運転者が移動電話を使用することを望まないときには、一般に運転者に携帯される移動電話端末である。これに対して、運転者が運転中に移動電話の使用を望むときには、運転者は、ＧＳＭ電話端末３が確実に保持されるように、ＧＳＭ電話端末３をＧＳＭ端末の受け台２の中へ直ちに取り付けなければならない。
【００２３】
ＧＳＭ端末の受け台２は、ＧＳＭ電話端末３への電力供給手段も有する。この状況においては、ＧＳＭ電話端末３の充電回路は、ＧＳＭ電話端末３が充電を必要とするか否かを検出するためにオンにスイッチされる。
【００２４】
ＧＳＭ端末の受け台２は、ＧＳＭ電話端末３の信号受信機への電気信号供給手段も有する。この状況においては、電話通信装置のコンピュータ１は、ＧＳＭ電話端末３のユーザの識別コード及び電話番号を検出するための電話通信カード、並びにＧＳＭ電話端末３に組み込まれた電話番号アドレス帳のような情報資源を特に使用することができる。ＧＳＭ電話端末３がＧＳＭ端末の受け台２に取り付けられているときの通信待ち受け時間帯の間には、ＧＳＭ電話端末３のマイクロフォン、拡声器、表示装置は使用されない。
【００２５】
ＧＳＭ通信に使用されるコンピュータ１は、アンテナ３４に接続されたＧＳＭ通信回路（電話通信回路）３２を主に含む。ＧＳＭ通信回路３２は、後記の保留回路の起動手段であるＧＳＭ通信コマンド回路３６に接続される。ＧＳＭ通信コマンド回路３６は、中央バス２０を介して、複数の回路とメモリに接続される。これらの回路とメモリは：
−電話通信の保留メッセージメモリ２２；
−到来呼び出し検出回路２４；
−電話通信の保留回路２６；
−ＧＳＭ送信回路２８；
−ＧＳＭ受信回路３０；
−ＧＳＭ端末の受け台の制御回路１０；
−ＧＳＭ付加装置の制御回路１２；
−拡声器の制御回路１４；
−マイクロフォンの制御回路１６；
−電話通信状況信号化装置（表示装置）の制御回路１８；
を含む。
【００２６】
図２は、図１の電話通信装置が第１の状況にある場合の流れ図を示す。本発明の通信装置の運用開始ステップ４０においては、会話または電話通信は始まっていない。ストレス状態検出ステップ４２（ストレス状態検出テストを実行するための手段）と到来呼び出し検出ステップ４４（到来呼び出し検出テストを実行するための手段）においては、ストレス状態検出テストと、到来呼び出し検出テストが、それぞれ実行される。ストレス状態と到来呼び出しの状態が同時に発生したことが、論理「ＡＮＤ」ステップ４６によって検出されたときには、保留メッセージを発生する、保留メッセージ発生ステップ４８が実行される。このために、コンピュータ１（図１参照）は、ＧＳＭ通信制御回路３６によって、呼び出し保留メッセージメモリ２２の適当なアドレスの読み取りを実行して、そこから適当な保留メッセージを抽出する。保留メッセージは、次いで、拡声器の制御回路１４へ、さらに拡声器５へ伝達される。次いで、セッション終了テスト５０が実行され、もしセッション終了テストが「ＹＥＳ」でなければ、ストレス状態検出ステップ４２と、到来呼び出し検出ステップ４４へ戻る。この段階において、ストレス状態と到来呼び出しの状態のうちの１つの状態のみが検出されないときには、保留メッセージ発生ステップ４８は実行されず、上述のストレス状態検出テストと到来呼び出し検出テストは、待機状態のままになる。
【００２７】
ストレス状態と到来呼び出しの状態のうちの１つの状態のみが検出されない状況は、到来呼び出し検出ステップ４４のテスト結果は「ＹＥＳ」であるが、ストレス状態検出ステップ４２のテスト結果は「ＹＥＳ」でないときに特に生じる。この場合、到来する通信は、先へ進むことができる。特に、呼び出し音信号（図示しない）の発生が、拡声器の制御回路１４と拡声器５（図１）によって実行される。
【００２８】
ストレス状態と到来呼び出しの状態のうちの１つの状態のみが検出されない状況は、保留メッセージを受けた送信者が呼び出しに固執しないことによって、到来呼び出し検出ステップ４４のテスト結果が「ＮＯ」であるときにも特に生じる。
【００２９】
図３は、図１の電話通信装置が第２の状況にある場合の流れ図を示す。本発明の通信装置の運用開始ステップ６０においては、上述したような、到来呼び出し検出手順が用いられ、通常の手順とプロトコルに従って電話通信が確立される。
【００３０】
ストレス状態検出ステップ６２（ストレス状態検出手段）においては、保留メッセージメモリ２２（図１）の読み取り起動信号が発信され、正しい保留メッセージが、ＧＳＭ送信回路２８から放送される。セッション終了テスト６６によって通信が終了したとみなされるまで、このループが繰り返される。したがって、保留メッセージの発生が、保留メッセージ発生ステップ４８において繰り返される。
【００３１】
特有の実施の形態においては、電話通信コンピュータ１は、電話通信装置の状態が、少なくとも特定の瞬間に運転者に注意されるように、コンピュータ１に連結された表示装置７上における、メッセージ、アイコン、またはデータのリストの可視表示の発生手段も含む。このようなメッセージは、ストレス状態の状況が現在は活性で、送信または呼び出し続行または電話通信をブロックしていることを表示することができる。アイコンは、この状況を表示するために設けることができる。データのリストは、特に：
−通話者の身分と電話番号の少なくとも一方、
−放送された保留メッセージまたはその表示、
−保留メッセージの送信開始日時、
の少なくとも一つを表示するために用いられる。
【００３２】
したがって、運転者は、通話を妨げられた通話者、及び通信時間と通信の中断の瞬間との少なくとも一方をはっきりさせることができる。
【００３３】
特有の実施の形態においては、ストレス状態検出ステップ４２（図２）またはストレス状態検出ステップ６２（図３）で実行されるストレス状態検出テストは、ＧＳＭに対するユーザのコマンドを取り込む付加装置４に設けられたスイッチの状態に基づいて実行される。このようなＧＳＭに対するコマンドを取り込む付加装置は、既知のように、運転席、特にステアリングホイールに関連して設けられる。本発明によるストレス状態検出スイッチは、レバー、上下動ボタンまたはタッチキー、あるいはタッチスクリーン上に接触領域を表示するアイコンを含むその他のあらゆる装置を含むことができる。したがって、ストレス状態検出スイッチは、本発明の電話通信装置の中にもともと組み込まれている表示装置７と協働することができる。このような実施の形態においては、ストレス状態は、運転者自身によって直接検出され、したがって運転者が本発明の通信装置の状態を決定する。
【００３４】
特有の実施の形態においては、本発明による電話通信装置は、通常は活性状態にあるストレス状態検出装置を伴って設けられる。この結果、このような実施の形態においては、運転者は、到来呼び出しの検出によって電話通信が開始されるため、または電話通信が展開されるためには、ストレス状態検出スイッチを無効化状態にする必要がある。
【００３５】
本発明は、その他のストレス状態検出装置を除外するものではない。
【図面の簡単な説明】
【００３６】
【図１】本発明を実施する電話通信装置のブロック図である。
【図２】図１の電話通信装置が第１の状況にある場合の流れ図である。
【図３】図１の電話通信装置が第２の状況にある場合の流れ図である。
【図１】
2008504770.tif 000003
【図２】
2008504770.tif 000004
【図３】
2008504770.tif 000005
【国際調査報告】
2008504770.tif 000006
2008504770.tif 000007
2008504770.tif 000008
2008504770.tif 000009